(57)【要約】      （修正有）【課題】組み立てが便利であり、信頼性が高く、取り扱い性に優れた押しボタン式密封容器の蓋を提供する。【解決手段】上蓋１、下蓋、皿形の密封リング２、押しボタン３、回転歯部材４、縦軸５及びレバーバネ機構を備える押しボタン式密封容器の蓋である。回転歯部材４にスリーブ及びＮ個のスプライン歯を備える。スプライン歯の底部と頂部にそれぞれ１つのヘリコイドを備え、上部ヘリコイドと下部ヘリコイドの回転方向が反対になっている。縦軸５が押しボタン３に固定され、回転歯部材４が回動自在に縦軸５の下部に取り付けられている。上蓋１の底板にＮ溝のスプライン孔を備え、底板の底面に端面歯車を備え、端面歯車に２Ｎ個の端面歯を有し、Ｎ溝のスプライン孔の歯溝が端面歯の歯溝部位に位置している。【選択図】図１
0003210067.tif 000002
【実用新案登録請求の範囲】
【請求項１】
上蓋、下蓋、皿形の密封リング、押しボタン、及びレバーバネ機構を備え、前記押しボタンが前記上蓋の押しボタン用孔に取り付けられ、前記皿形の密封リングが前記下蓋の周縁に固定されている押しボタン式密封容器の蓋であって、
回転歯部材及び縦軸を更に備え、前記回転歯部材にスリーブ及びＮ個のスプライン歯を備え、前記スプライン歯の底部と頂部にそれぞれ１つのヘリコイドを備え、上部ヘリコイドと下部ヘリコイドの回転方向が反対になっており、
前記縦軸の上端が前記押しボタンに固定され、前記回転歯部材が回動自在に前記縦軸の下部に取り付けられ、
前記上蓋の前記押しボタン用孔の下部に底板を備え、前記底板にＮ溝のスプライン孔を備え、前記Ｎ溝のスプライン孔の歯溝の幅が前記スプライン歯と整合し、
前記底板の底面に端面歯車を備え、前記端面歯車に２Ｎ個の端面歯を有し、前記端面歯の歯溝が前記スプライン歯の頂部と整合し、前記Ｎ溝のスプライン孔の歯溝が前記端面歯の歯溝部位に位置し、
前記下蓋に１つの２Ｎ歯の端面爪車を備え、前記２Ｎ歯の端面爪車の鋸歯と前記スプライン歯の前記下部ヘリコイドが整合し、前記Ｎが３以上であることを特徴とする、押しボタン式密封容器の蓋。
【請求項２】
前記下蓋に１つの２Ｎ溝のスプライン孔を備え、前記２Ｎ溝のスプライン孔の歯軸方向の頂面に前記スプライン歯の前記下部ヘリコイドと整合するヘリコイドが設けられることで前記端面爪車を形成し、前記２Ｎ溝のスプライン孔の歯溝の幅が前記スプライン歯と整合し、
前記Ｎ溝のスプライン孔の歯溝と前記２Ｎ溝のスプライン孔の歯溝が周方向においてずらして配置されることを特徴とする、請求項１に記載の押しボタン式密封容器の蓋。
【請求項３】
前記Ｎが３であり、前記端面歯車の歯溝がＶ字型を呈し、前記スプライン歯の頂部がＡ字型を呈し、
前記３溝のスプライン孔の歯溝が、前記端面歯のＶ字型歯溝の溝底部位に位置し、
前記３溝のスプライン孔の歯溝が、前記６溝のスプライン孔の歯溝に対して前記回転歯部材の回転方向において１０°〜２０°リードする構成になっていることを特徴とする、請求項２に記載の押しボタン式密封容器の蓋。
【請求項４】
前記レバーバネ機構に中央バネ及び２つのレバーを備え、前記レバーにレバーアーム及びカムを備え、カム軸方向の両端にそれぞれ１つのヒンジを備え、前記レバーアームの下端が前記カム軸方向の一端に接続し、上端が前記カムの径方向に沿って突出し、
前記下蓋に２組の支持フレームを備え、各組の前記支持フレームごとに２つの縦板を備え、前記上蓋の底板に４つの縦板孔を有し、前記縦板が下から上方へ向いて前記縦板孔を貫通し、
前記縦板の上端にヒンジ孔を有し、前記カムの２つの前記ヒンジがそれぞれ前記支持フレームの２つの前記ヒンジ孔に挿入し、
前記中央バネが前記上蓋の底板と前記下蓋との間に配置され、前記レバーアームの上端が前記押しボタンに当接し、前記カムの外郭が前記上蓋の底板を沿う構成になっていることを特徴とする、請求項２に記載の押しボタン式密封容器の蓋。
【請求項５】
前記下蓋に底蓋及びレバーシートを備え、前記レバーシートにベース及び前記２組の支持フレームを備え、前記ベースの中央に前記２Ｎ溝のスプライン孔を備え、
前記底蓋に前記ベースの支持孔を有し、前記ベースと前記支持孔が嵌接されることを特徴とする、請求項４に記載の押しボタン式密封容器の蓋。
【請求項６】
前記レバーアームの上端に１つのクロスアームを備え、前記２組の支持フレームの中心がそれぞれ前記蓋の中軸線から偏心し、且つ前記縦軸の軸中心に対して対称に配置されることを特徴とする、請求項４に記載の押しボタン式密封容器の蓋。
【請求項７】
前記皿形の密封リングが、二段階射出成形工程を経て前記下蓋の縁部に固定されることを特徴とする、請求項１に記載の押しボタン式密封容器の蓋。
【請求項８】
容器本体及び蓋を備える押しボタン式密封容器であって、
前記蓋が、請求項１〜７の何れか１項に記載の押しボタン式密封容器の蓋であることを特徴とする、押しボタン式密封容器。
【請求項９】
前記蓋の頂面の周縁近傍を一周して凹溝が形成され、２つの前記押しボタン式密封容器を積層すると、上層の１つの前記押しボタン式密封容器の前記容器本体の底部が、下層の１つの前記押しボタン式密封容器の前記蓋の前記凹溝に進入することを特徴とする、請求項８に記載の押しボタン式密封容器。
【考案の詳細な説明】
【技術分野】
【０００１】
本考案は、密封容器に関し、より詳しくは、押しボタン式密封容器の蓋及び押しボタン式密封容器に関する。
【背景技術】
【０００２】
保管容器は、人々が日常生活でよく使われる１つの非常に便利な製品であり、食品を分類して収容することで人々の健康をより確かに確保するものである。保管容器は３種類に分類され、そのうち、樹脂材料で製造されるプラスチック製の保管容器は、通常、最高１２０℃〜最低−２０℃の耐熱範囲を有する。それ以外、一般のガラス材を強化させてなる強化ガラス製の保管容器、及びホウケイ酸ガラス材で製造される耐熱ガラス製の保管容器がある。
【０００３】
ところで、弁当や保管容器としては何れも良好な密封性が要求され、韓国ロック・アンド・ロック社のプラスチック製保管容器が一般に使われ、他社の製品に比べても密封性に優れた保管容器である。しかし、韓国ロック・アンド・ロック社のプラスチック製保管容器は、４つのロック羽根を用いて緊固にロックさせる必要があり、蓋のロック作業が必ずしも便利とは言えない。
【０００４】
こうした問題を解決するため、中国実願２００９２０１３０７８７．８号に、容器本体及び容器本体の上部に設けられるカバーを備える密封容器が開示され、カバー内部に密封効果を奏するレバーバネ機構を設けたため、押しボタンを利用してレバーを押し付けると、レバーの駆動力によって内蓋が上方に移動し、密封リングが内蓋とカバーの作用力で圧縮変形されることにより、内蓋に取り付けられた密封リングと容器本体の縁部とを緊密に結合させ、密封容器全体の高い密封性が確保できるようになっている。このような密封容器のレバーバネ機構は、押しボタンからヒンジロッドを介して駆動する仕組みになっており、ヒンジロッドとレバーの組立てにかなり難度がある。押しボタンの取り付けと組立てを行う際、すなわち、視界に一定の制限がある取り付け環境においてヒンジロッドと結合ロッドとの間にバラツキが生じやすく、ヒンジロッドが結合ロッドにおける復帰用係合溝に順調に入ることができなかった場合、押しボタンを取り付けた後に作動ミス、思う通りの飛び出し効果が得られないといった不備が生じる恐れがある。なお、このような密封容器の内蓋と密封リングが別々に構成される仕組みになっているため、密封リングが内蓋の溝に嵌入した場合、満遍なく洗浄することができず、密封リングと内蓋の溝に汚れが残り、細菌が繁殖し易くなる。
【考案の概要】
【考案が解決しようとする課題】
【０００５】
本考案が解決しようとする技術課題は、組み立てが便利であり、信頼性が高く、取り扱い性に優れた押しボタン式密封容器の蓋を提供することである。
【０００６】
更に、本考案が解決しようとする技術課題は、密封リング部位の洗浄が便利であり、汚れが残り難い押しボタン式密封容器の蓋を提供することである。
【０００７】
また、本考案が解決しようとする別の技術課題は、蓋の組み立てが便利であり、密封信頼性が高く、性能が優れる押しボタン式密封容器を提供することである。
【課題を解決するための手段】
【０００８】
上述の目的を達成すべく、本考案により提供される技術案は、以下のとおりである。
【０００９】
押しボタン式密封容器の蓋であって、上蓋、下蓋、皿形の密封リング、押しボタン、回転歯部材、縦軸、及びレバーバネ機構を備え、押しボタンが上蓋の押しボタン用孔に取り付けられ、皿形の密封リングが下蓋の周縁に固定され、回転歯部材にスリーブとＮ個のスプライン歯を備え、スプライン歯の底部と頂部にそれぞれ１つのヘリコイド（螺旋面）を備え、上部ヘリコイドと下部ヘリコイドの回転方向（巻方向）が反対になっており、縦軸の上端が押しボタンに固定され、回転歯部材が縦軸の下部に回動自在に取り付けられ、上蓋の押しボタン用孔の下部に底板を備え、底板にＮ溝のスプライン孔を備え、Ｎ溝のスプライン孔の歯溝の幅がスプライン歯と整合し、底板の底面に端面歯車を備え、端面歯車に２Ｎ個の端面歯を有し、端面歯の歯溝とスプライン歯の頂部が整合し、Ｎ溝のスプライン孔の歯溝が端面歯の歯溝部位に位置し、下蓋に１つの２Ｎ歯の端面爪車を備え、２Ｎ歯端面爪車の鋸歯とスプライン歯の下部ヘリコイドが整合し、前記Ｎが３以上である。
【００１０】
上述の押しボタン式密封容器の蓋において、下蓋に１つの２Ｎ溝のスプライン孔を備え、２Ｎ溝のスプライン孔の歯軸方向の頂面にスプライン歯の下部ヘリコイドと整合するヘリコイドが設けられることで前記端面爪車を形成し、２Ｎ溝のスプライン孔の歯溝の幅がスプライン歯と整合し、Ｎ溝のスプライン孔の歯溝と２Ｎ溝のスプライン孔の歯溝が周方向においてずらして配置される。
【００１１】
上述の押しボタン式密封容器の蓋において、前記Ｎが３であり、端面歯車の歯溝がＶ字型を呈し、スプライン歯の頂部がＡ字型を呈し、３溝のスプライン孔の歯溝が、端面歯のＶ字型歯溝の溝底部位に位置し、３溝のスプライン孔の歯溝が、６溝のスプライン孔の歯溝に対して回転歯部材の回転方向において１０°〜２０°リードする構成になっている。
【００１２】
上述の押しボタン式密封容器の蓋において、レバーバネ機構に中央バネ及び２つのレバーを備え、レバーにレバーアーム及びカムを備え、カム軸方向の両端にそれぞれ１つのヒンジを備え、レバーアームの下端がカム軸方向の一端に接続し、上端がカムの径方向に沿って突出し、下蓋に２組の支持フレームを備え、各組の支持フレームごとに２つの縦板を備え、上蓋の底板に４つの縦板孔を有し、縦板が上方向へ向いて縦板孔を貫通し、縦板の上端にヒンジ孔を有し、カムの２つのヒンジがそれぞれ支持フレームの２つのヒンジ孔に挿入し、中央バネが上蓋の底板と下蓋との間に配置され、レバーアームの上端が押しボタンに当接し、カムの外郭が上蓋の底板を沿う構成になっている。
【００１３】
上述の押しボタン式密封容器の蓋において、下蓋に底蓋及びレバーシートを備え、レバーシートにベース及び前記２組の支持フレームを備え、ベース中央に前記２Ｎ溝のスプライン孔を備え、底蓋にベースの支持孔を有し、ベースと前記支持孔が嵌接される。
【００１４】
上述の押しボタン式密封容器の蓋において、レバーアームの上端に１つのクロスアームを備え、２組の支持フレームの中心がそれぞれ蓋の中軸線から偏心し、且つ縦軸の軸中心に対して対称に配置される。
【００１５】
上述の押しボタン式密封容器の蓋において、皿形の密封リングが二段階射出成形工程を経て下蓋の縁部に固定される。
【００１６】
押しボタン式密封容器であって、容器本体及び蓋を備え、前記蓋が上述の押しボタン式密封容器の蓋である。
【００１７】
上述の押しボタン式密封容器において、蓋頂面の周縁近傍を一周して凹溝が形成され、２つの押しボタン式密封容器を積層した場合、上層の１つの押しボタン式密封容器の容器本体の底部が下層の１つの押しボタン式密封容器の蓋の前記凹溝に進入する。
【考案の効果】
【００１８】
本考案に係る押しボタン式密封容器の蓋は、組み立てが便利であり、信頼性が高く、取り扱い性に優れる。具体的には、以下の有益な効果がある。
【００１９】
（１）蓋が取り外し可能な構造になっているため、使用者が洗浄、メンテナンス及び保持するのに便利である。押しボタンの駆動構造が簡単で使いやすく、蓋開閉時に煩雑な作業を必要とせず、使用者が気軽に要密封物品を保管することができる。
（２）皿形の密封リング２が二段階射出成形工程を経て底蓋６の縁部に分解不能に嵌着されているため、両者の結合部に隙間がなく、洗浄時に満遍なく洗浄することができ、汚れが残りにくく、洗浄が便利であり、衛生面において安心である。
【図面の簡単な説明】
【００２０】
【図１】本考案の実施例に係る押しボタン式密封容器の蓋の分解図である。
【図２】本考案の実施例押しボタン式密封容器の蓋の、他の視角から見たときの分解図である。
【図３】本考案の実施例押しボタン式密封容器の蓋の押しボタンが押し込まれていないときの断面図である。
【図４】本考案の実施例に係る押しボタン式密封容器の蓋の押しボタンを押し込んだときの断面図である。
【図５】本考案の実施例に係る回転歯部材の作動状態を示す概略図１である。
【図６】本考案の実施例に係る回転歯部材の作動状態を示す概略図２である。
【図７】本考案の実施例に係る回転歯部材の作動状態を示す概略図３である。
【図８】本考案の実施例に係る回転歯部材の作動状態を示す概略図４である。
【図９】本考案の実施例に係る回転歯部材の作動状態を示す概略図５である。
【図１０】本考案の実施例に係る上蓋の正面図である。
【図１１】本考案の実施例に係る上蓋の平面図である。
【図１２】図１１におけるＡ方向に沿って回転したときの断面図である。
【図１３】本考案の実施例に係る上蓋の平面図である。
【図１４】本考案の実施例に係る底蓋アセンブリの断面図である。
【図１５】本考案の実施例に係る底蓋アセンブリの平面図である。
【図１６】本考案の実施例に係るレバーシートの正面図である。
【図１７】本考案の実施例に係るレバーシートの平面図である。
【図１８】図１７におけるＢ方向に沿って回転したときの断面図である。
【図１９】本考案の実施例に係るレバーの正面図である。
【図２０】本考案の実施例に係るレバーの平面図である。
【図２１】本考案の実施例に係るレバーの斜視図である。
【図２２】本考案の実施例に係る回転歯部材の正面図である。
【図２３】本考案の実施例に係る回転歯部材の平面図である。
【図２４】本考案の実施例に係る回転歯部材の底面図である。
【図２５】本考案の実施例に係る回転歯部材の側面図である。
【図２６】本考案の実施例に係る回転歯部材の斜視図である。
【図２７】本考案の実施例に係る回転歯部材を他の視角から見たときの斜視図である。
【図２８】本考案の実施例に係る押しボタンの斜視図である。
【図２９】本考案の実施例に係る押しボタン式密封容器の正面図である。
【考案を実施するための形態】
【００２１】
以下、図面と具体的な実施形態を挙げて本考案について更に詳しく説明する。
【００２２】
本考案の実施例に係る押しボタン式密封容器は、図２９に示されるように、容器本体２００及び蓋１００を備えて構成される。
【００２３】
蓋１００は、図１〜図２８に示されるように、上蓋１、下蓋、皿形の密封リング２、押しボタン３、回転歯部材４、回転歯部材の縦軸としての取付けネジ５、及びレバーバネ機構を備えて構成される。
【００２４】
下蓋に底蓋６及びレバーシート７を備え、皿形の密封リング２は、二段階射出成形工程を経て底蓋６の縁部に分解不能に嵌着される。
【００２５】
レバーシート７にベース７０１及び２組の支持フレームを備える。各組の支持フレームに２つの縦板７０２を備え、縦板７０２の上端に１つのヒンジ孔７０３を有し、底蓋６の中央に１つのベースの支持孔６０１を有し、支持孔６０１に係止溝６０２を有し、ベース７０１の縁部に突出部７０４を有し、突出部７０４が係止溝６０２に捻じ込まれてベース７０１と底蓋６の支持孔６０１とを係合させる。
【００２６】
２組の支持フレームの中心がそれぞれ蓋の中心線から偏心し、且つ取付けネジ５の軸中心に対して対称に配置される。
【００２７】
レバーバネ機構に、中央バネ８及び２つのレバー９を備える。
【００２８】
レバー９にレバーアーム９０２及びカム９０１を備え、カム９０１軸方向の両端にそれぞれ１つのヒンジ９０３を備える。レバーアーム９０２の下端がカム９０１のヒンジ近傍の一端に接続し、上端がカム９０１の径方向に沿って突出する。レバーアーム９０２上端に１つのクロスアーム９０４を有する。
【００２９】
押しボタン３が上蓋１の押しボタン用孔１０１に取り付けられ、押しボタン３の下部に複数の弾性係止フック３０１を備え、押しボタン３が押しボタン用孔１０１に挿入された後、脱落することなく自由に上下移動することができる。
【００３０】
上蓋１は、押しボタン用孔１０１の下方において１つの底板１０２を備え、底板１０２に４つの縦板孔１０３を有し、縦板７０２が上方へ向いて縦板孔１０３を貫通するようになっている。カム９０１の２つのヒンジ９０３がそれぞれ支持フレームの２つのヒンジ孔７０３に挿入し、レバーアーム９０２上端のクロスアーム９０４が押しボタン３に当接し、カム９０１の外郭が上蓋１の底板１０２を追従する形で形成される。
【００３１】
中央バネ８の上端が底板１０２に当接し、下端が下蓋のベース７０１によって支持され、中央バネ８の弾力によって下蓋と上蓋が分離される。
【００３２】
押しボタン３の中央に１つの下へ突き出す円筒台３０２を備え、円筒台３０２にネジ孔３０３を有し、取付けネジ５の上端がネジ孔３０３に捻じ込まれる。回転歯部材４は、回転に支障がないように若干余裕を取って取付けネジ５に套設され、取付けネジ５の頭部と円筒台３０２によって回転歯部材４の押しボタン３に対しての軸方向移動が制限される。
【００３３】
回転歯部材４は、スリーブ４０１及び３つのスプライン歯４０２を備え、スプライン歯４０２の底部に１つのヘリコイド４０３を備える。スプライン歯４０２の頂部がＡ字型を呈し、頂部右側に１つのヘリコイド４０４を備え、下部ヘリコイド４０３が右回りであり、上部ヘリコイド４０４が左回りである。
【００３４】
底板１０２の中央に１つの３溝のスプライン孔１０７を有し、３溝のスプライン孔１０７の歯溝１０６の幅と回転歯部材４のスプライン歯４０２の幅が整合し、両者が同調して滑動する。
【００３５】
底板１０２の底面に端面歯車１０４を備え、端面歯車１０４に６つの端面歯を備え、端面歯車１０４の歯溝がＶ字型を呈し、歯溝形状とスプライン歯４０２の頂部形状が整合する。
【００３６】
３溝のスプライン孔１０７の歯溝は、端面歯のＶ字型歯溝の溝底部位に位置する。
【００３７】
下蓋におけるレバーシートのベース７０１中央に、１つの６溝のスプライン孔７０５を備え、６溝のスプライン孔７０５の歯軸方向の頂面７０６が右回りのヘリコイドになっており、ヘリコイド７０６とスプライン歯４０２の下部ヘリコイドのねじれ角が同じく、６溝のスプライン孔７０５の歯溝７０７の幅とスプライン歯４０２の幅が整合し、両者が同調して滑動する。３溝のスプライン孔１０７の歯溝と６溝のスプライン孔７０５の歯溝が周方向においてずらして配置され、３溝のスプライン孔１０７の歯溝が６溝のスプライン孔７０５の歯溝に対して回転歯部材４の回転方向において１５°リードして形成される。
【００３８】
６溝のスプライン孔７０５の歯溝は、スプライン歯４０２の下方向への移動にスペースを提供し、スプライン歯４０２の底面のねじれ角が十分である場合、スプライン孔７０５の歯溝を無くしても構わず、すなわち、６溝のスプライン孔７０５の代わりに６歯の端面爪車を採用してもよい。
【００３９】
回転歯部材４のスプライン歯４０２の数として４〜５個設けてもよく、このとき、スプライン孔及び端面歯車の歯数を適宜増加させる。
【００４０】
押しボタン３を押すと、図３及び図４に示されるように、押しボタン３がレバーアーム９０２を下へ押し付け、カム９０１が縦板７０２のヒンジ孔７０３を囲んで回動し、下へ向いて上蓋１を押し付けると同時に上へ向いて上蓋を引き寄せ、両者の間の距離が縮小し、中央バネ８が圧縮変形される。同時に、上蓋１の縁部１０８が皿形の密封リング２の周縁２０１を下へ押し付けて皿形の密封リング２の周縁２０１を拡張させ、容器本体２００上縁部の裏孔と密封できるようにする。
【００４１】
図５に示されるように、押しボタン３を押すと、回転歯部材４が３溝のスプライン孔１０７の歯溝１０６に沿って下へ滑動し、回転歯部材４のスプライン歯４０２が歯溝１０６から離れると、スプライン歯４０２底部のヘリコイド４０３と６溝のスプライン孔７０５の歯軸方向の頂面７０６が接触し、回転歯部材４が押しボタン３に連動して下へ移動し続くと、図６に示されるように、ヘリコイド７０６に沿って回転しつつスプライン孔７０５の歯溝７０７に入ることとなる。
【００４２】
このとき、押しボタン３を放すと、中央バネの回復弾力作用で回転歯部材４が上方へ移動する。回転歯部材４が既に回転を経験したため、復帰の際、スプライン歯４０２の上端が端面歯車１０４のＶ字型歯溝１０５に入り、スプライン歯４０２上端右側のヘリコイド４０４と端面歯車１０４の左回りヘリコイドが接触し、スプライン歯４０２が上昇すると同時に回転し続け、図７に示されるように、スプライン歯４０２の上端が完全に端面歯車１０４のＶ字型歯溝１０５に入ることとなる。端面歯車１０４は、合わせて５つのＶ字型歯溝１０５を有し、そのうち、３つが３溝のスプライン孔１０７の歯溝１０６と連通されていないため、スプライン歯４０２の上端が完全に端面歯車１０４のＶ字型歯溝１０５に入ると、図４に示されるように、スプライン歯４０２が係止状態となり、皿形の密封リング２の周縁２０１が開放位置に止まって容器本体２００上縁部の裏孔と良好な密封状態を保持する。
【００４３】
蓋２００を開こうと再び押しボタン３を押すと、図８に示されるように、回転歯部材４が下へ移動しつつ前へ向いて回転し、スプライン歯４０２がスプライン孔７０５の先頭にある１つの歯溝７０７に入る。このとき、押しボタン３を放すと、中央バネの回復弾力作用によって回転歯部材４が上向きに移動する。回転歯部材４が既に回転を経験したため、復帰の際、スプライン歯４０２の上端が端面歯車１０４の先頭にある１つのＶ字型の歯溝１０５に入り、この歯溝１０５と３溝のスプライン孔１０７の歯溝１０６が連通されているため、該Ｖ字型歯溝１０５がスプライン歯４０２を止めることができず、スプライン歯４０２が歯溝１０６に沿って上向きに移動し、上蓋１が中央バネ８の回復弾力作用で下蓋と分離し、皿形の密封リング２の周縁２０１が元の状態に戻ろうと容器本体２００上縁部の裏孔から離れる。
【００４４】
蓋１００頂面の周縁近傍を一周して１つの凹溝１０９を備え、２つの押しボタン式密封容器を積層すると、上層の１つの押しボタン式密封容器本体２００の底部２０１が下層の１つの押しボタン式密封容器蓋１００の凹溝１０９に入り込み、複数の押しボタン式密封容器を積み重ねて格納することも気軽にできる。
【図１】
0003210067.tif 000003
【図２】
0003210067.tif 000004
【図３】
0003210067.tif 000005
【図４】
0003210067.tif 000006
【図５】
0003210067.tif 000007
【図６】
0003210067.tif 000008
【図７】
0003210067.tif 000009
【図８】
0003210067.tif 000010
【図９】
0003210067.tif 000011
【図１０】
0003210067.tif 000012
【図１１】
0003210067.tif 000013
【図１２】
0003210067.tif 000014
【図１３】
0003210067.tif 000015
【図１４】
0003210067.tif 000016
【図１５】
0003210067.tif 000017
【図１６】
0003210067.tif 000018
【図１７】
0003210067.tif 000019
【図１８】
0003210067.tif 000020
【図１９】
0003210067.tif 000021
【図２０】
0003210067.tif 000022
【図２１】
0003210067.tif 000023
【図２２】
0003210067.tif 000024
【図２３】
0003210067.tif 000025
【図２４】
0003210067.tif 000026
【図２５】
0003210067.tif 000027
【図２６】
0003210067.tif 000028
【図２７】
0003210067.tif 000029
【図２８】
0003210067.tif 000030
【図２９】
0003210067.tif 000031